(57)【要約】【課題】従来から知られている蛍光体と青色及び近以外線半導体発光素子、すなわちＢ・ＬＥＤとＵＶ・ＬＥＤの組み合わせでは十分な調整色が出なかった。【解決手段】基板上１にＢ・ＬＥＤ３とＵＶ・ＬＥＤ４を実装し、それらの上に蛍光体層２を設けた半導体発光装置において、前記蛍光体層２には、前記Ｂ・ＬＥＤ３からの放射光とＵＶ・ＬＥＤ４からの放射光とを赤色系出射光Ｐｒに変調する第１の赤色系蛍光粒子Ｒと、緑色系出射光Ｐｇに変調する緑色系蛍光粒子Ｇと、ＵＶ・ＬＥＤ４からの放射光のみを赤色系出射光Ｐｒ２に変調する第２の赤色系蛍光粒子Ｒ２とを混入した。【選択図】      図５
2012009684.tif 000002
【特許請求の範囲】
【請求項１】
基板上に、青色系半導体発光素子と近紫外系半導体発光素子を実装し、前記両半導体発光素子上に蛍光体層を設けた半導体発光装置において、前記蛍光体層が、前記青色系半導体発光素子からの放射光と近紫外系半導体発光素子からの放射光とを赤色系出射光に変調する第１の赤色系蛍光粒子と、緑色系出射光に変調する緑色系蛍光粒子と、近紫外系半導体発光素子からの放射光のみを赤色系出射光に変調する第２の赤色系蛍光粒子とを含有していることを特徴とする半導体発光装置。
【請求項２】
前記第１の赤色系蛍光粒子は５７０〜６７０ｎｍの発光波長を有する窒化物系、酸化物系蛍光粒子、酸窒化物系蛍光体粒子、又は硫化物系蛍光体粒子であり、緑色系蛍光粒子は５００〜６００ｎｍの発光波長を有するケイ酸塩系蛍光粒子、酸窒化物系蛍光粒子、又は硫化物系蛍光体粒子であり、第２の赤色系蛍光粒子は６００〜６７０ｎｍの発光波長を有する酸化物系蛍光体粒子、フッ化物系蛍光粒子である請求項１記載の半導体発光装置。
【請求項３】
前記蛍光体層は、さらに近紫外系半導体発光素子からの放射光のみを緑色系出射光に変調する第２の緑色系蛍光粒子を含有した蛍光体層である請求項１又は２に記載の半導体発光装置。
【請求項４】
前記蛍光体層は、さらに近紫外系半導体発光素子からの放射光のみを青色系出射光に変調する第２の青色系蛍光粒子を含有した蛍光体層である請求項１乃至３のいずれか１項に記載の半導体発光装置。
【請求項５】
前記青色系半導体発光素子と近紫外系半導体発光素子とを独立に点灯させる２つの駆動回路を有する請求項１乃至４のいずれか１項に記載の半導体発光装置。
【発明の詳細な説明】
【技術分野】
【０００１】
本発明はＬＥＤ素子等の半導体発光素子を備えた半導体発光装置に関するものであり、詳しくは発光色度の調整が可能で、発光効率の良い半導体発光装置に関する。
【背景技術】
【０００２】
近年、ＬＥＤ素子（以下ＬＥＤと略記する）は半導体発光素子であるため、長寿命で優れた駆動特性を有し、さらに小型で発光効率が良く、鮮やかな発光色を有することから、カラー表示装置のバックライトや照明等に広く利用されるようになってきた。本発明においても半導体発光装置としてＬＥＤ発光装置を実施形態として説明する。
【０００３】
特に近年、ＬＥＤの高効率化に伴いＬＥＤ発光装置としては、室内の照明装置として多く採用されるようになってきており、効率の良い発光装置に加えて色調の変化が求められている。現在色調調整型の照明装置についていろいろ提案されている。（例えば引用文献１及び引用文献２）
【０００４】
以下従来の照明装置としてのＬＥＤ発光装置に付いて説明する。
図１０は引用文献１に示された従来のＬＥＤ発光装置１００の構成を示す断面図であり、１個の基板１０１の上に青色系半導体発光素子１０３（以下Ｂ・ＬＥＤと略記する）と近紫外系半導体発光素子１０４（以下ＵＶ・ＬＥＤと略記する）を並べて実装し、全体を波長変換部材１０２で被覆している。
【０００５】
この波長変換部材１０２は透明樹脂中に以下の蛍光粒子が混入されている。
すなわちＢ・ＬＥＤ１０３の発光を黄色系に波長変換した黄色光Ｐｙと元のＢ・ＬＥＤ１０３の青色光Ｐｂと加えることにより白色光Ｐｗを出射光とするＹＡＧ系蛍光体と、ＵＶ・ＬＥＤの発光を緑色光Ｐｇと赤色光Ｐｒに波長変換して出射光とする金属アルミネート系蛍光体とが混入されている。
【０００６】
上記ＬＥＤ発光装置１００はＵＶ・ＬＥＤ１０４を単独で発光させることにより波長変換部材１０２によって緑色光Ｐｇと赤色光Ｐｒが出射光となる。またＢ・ＬＥＤ１０３を単独で発光させることにより波長変換部材１０２によって波長変換された黄色光Ｐｙと、元のＢ・ＬＥＤ１０３の青色光Ｐｂと加えることにより白色光Ｐｗを出射光となる。すなわちＢ・ＬＥＤ１０３の単独発光で得られる白色光Ｐｗに対し、Ｂ・ＬＥＤ１０３とＵＶ・ＬＥＤ１０４とを同時に発光させることにより、白色光Ｐｗに緑色光Ｐｇと赤色光Ｐｒとを混合した中間色は色温度が低くなる。つまりＵＶ・ＬＥＤ１０４の点灯制御により調色が可能となる。
【０００７】
図１１は引用文献２に示された従来のＬＥＤ発光装置２００の構成を示す断面図であり、１個の基板２０１の上にＢ・ＬＥＤ２０３とＵＶ・ＬＥＤ２０４を並べて実装し、全体を波長変換部材２０２で被覆している。
【０００８】
青色光ＰｂはＢ・ＬＥＤ２０３の発光波長による出射光、緑色光ＰｇはＵＶ・ＬＥＤ２０４の発光が緑色蛍光体によって波長変換された出射光、赤色光ＰｒはＢ・ＬＥＤ２０３の発光または、ＵＶ・ＬＥＤ２０４の発光から選ばれる少なくとも１つの発光が赤色蛍光体によって波長変換された出射光である。すなわち波長変換部材２０２である蛍光樹脂にはＵＶ・ＬＥＤ２０４の発光によって励起される緑色蛍光体と、Ｂ・ＬＥＤ２０３の発光または、ＵＶ・ＬＥＤ２０４の発光から選ばれる少なくとも１つの発光によって励起される赤色蛍光体が混入されており、これらの青色光Ｐｂ、緑色光Ｐｇ、赤色光Ｐｒが合成されることにより、白色光Ｐｗが出射される。
【先行技術文献】
【特許文献】
【０００９】
【特許文献１】特開２００５−１３６００６号公報
【特許文献１】特開２０１０−８０９３５号公報
【発明の概要】
【発明が解決しようとする課題】
【００１０】
引用文献１と引用文献２に開示された従来技術は、いずれもＢ・ＬＥＤとＵＶ・ＬＥＤとを１個の基板の上に実装し、この各ＬＥＤの発光と波長変換部材との組み合わせによって、Ｂ・ＬＥＤの青色光Ｐｂと波長変換部材による黄色光Ｐｙ、緑色光Ｐｇ、赤色光Ｐｒとの組み合わせにより、白色光Ｐｗや中間色を出射光として取り出している。
【００１１】
しかしながら引用文献１は、Ｂ・ＬＥＤとＵＶ・ＬＥＤを同時に点灯させたとき比較的自由に所望の色に設定できるのに対し、Ｂ・ＬＥＤのみを点灯させた場合に白色光Ｐｗは赤みが足りず演色性が悪いという問題がある。引用文献２は、Ｂ・ＬＥＤ或いはＵＶ・ＬＥＤの強度比を変更して調色できるが、例えばＢ・ＬＥＤを弱めると青色光Ｐｂ成分の減少とともに赤色光Ｐｒ成分も減少してしまうため色温度を低下させることが容易ではない。以上のようにこれまでに知られている蛍光体とＢ・ＬＥＤ、ＵＶ・ＬＥＤの組み合わせでは満足のいく調色ができていなかった。
【００１２】
本発明の目的は上記問題点を解決しようとするものであり、波長変換部材に比較的微量の蛍光材料を追加し、容易に色度調整が可能となる半導体発光装置を提供することである。
【課題を解決するための手段】
【００１３】
上記目的を達成するため本発明における構成は、基板上に、Ｂ・ＬＥＤとＵＶ・ＬＥＤを実装し、Ｂ・ＬＥＤとＵＶ・ＬＥＤ上を蛍光体層で封止した半導体発光装置において、前記蛍光体層が、前記Ｂ・ＬＥＤからの放射光とＵＶ・ＬＥＤからの放射光とを赤色系出射光に変調する第１の赤色系蛍光粒子と、緑色系出射光に変調する緑色系蛍光粒子と、ＵＶ・ＬＥＤからの放射光のみを赤色系出射光に変調する第２の赤色系蛍光粒子とを含有していることを特徴とする。
【００１４】
上記構成によれば、波長変換部材としての蛍光体層は、Ｂ・ＬＥＤからの放射光とＵＶ・ＬＥＤからの放射光の両者に反応する第１の蛍光粒子と、ＵＶ・ＬＥＤからの放射光のみに反応する第２の赤色系蛍光粒子を備えている。Ｂ・ＬＥＤとＵＶ・ＬＥＤが同時に点灯しているときの白色光に対し、Ｂ・ＬＥＤの強度を相対的に弱くすると、青色成分の減少に対し第２の赤色系蛍光体による赤色成分は変化しないため、容易に所望の色温度を得ることができる。またＵＶ・ＬＥＤにより第１の赤色系蛍光体及び緑色系蛍光体も励起されるのでこれらの蛍光体の利用効率が高くなるため第２の赤色系蛍光粒子の添加が微量で済む。
【００１５】
前記第１の赤色系蛍光粒子は５７０〜６７０ｎｍの発光波長を有する窒化物系、酸化物系、酸窒化物系、又は硫化物系蛍光粒子であり、緑色系蛍光粒子は５００〜６００ｎｍの発光波長を有するケイ酸塩系、酸窒化物系、又は硫化物系蛍光粒子であり、第２の赤色系蛍光粒子は６００〜６７０ｎｍの発光波長を有する酸化物系、フッ化物系蛍光粒子であると良い。
【００１６】
前記蛍光体層は、さらにＵＶ・ＬＥＤからの放射光のみを緑色系出射光に変調する第２の緑色系蛍光粒子を含有した蛍光体層であると良い。
【００１７】
上記構成によれば、Ｂ・ＬＥＤ及びＵＶ・ＬＥＤを点灯させたときの５０００Ｋ付近の昼光色発光からＢ・ＬＥＤを相対的に弱くしていくと、ＵＶ・ＬＥＤからの放射光による赤及び緑色光成分が減少しないため、より正確且つ容易に３０００Ｋ付近の暖色に発光を移すことができる。
【００１８】
前記蛍光体層は、さらに近紫外系半導体発光素子からの放射光のみを青色系出射光に変調する第２の青色系蛍光粒子を含有した蛍光体層であると良い。
【００１９】
上記構成によれば、Ｂ・ＬＥＤ及びＵＶ・ＬＥＤを点灯させたときの発光色からＢ・ＬＥＤを相対的に弱くしていくと、ＵＶ・ＬＥＤからの放射光による赤、緑、及び青色光成分が減少しないため、より正確且つ容易に所望色に発光を移すことができる。また同時に第２の青色系蛍光粒子による青色発光スペクトルはＢ・ＬＥＤによる青色発光スペクトルより幅が広いので、演色性が向上する。
【００２０】
前記Ｂ・ＬＥＤとＵＶ・ＬＥＤとを独立に点灯させる２つの駆動回路を有すると良い。
【００２１】
上記構成によれば、Ｂ・ＬＥＤのみの点灯により、色温度の高い白色光Ｐｗを出射光とし、さらにＢ・ＬＥＤとＵＶ・ＬＥＤとを同時に点灯させることにより、色調が補正された暖色（色温度の低い）光を出射光とする２種類の照明を効率良くおこなうことができる。
【発明の効果】
【００２２】
上記の如く本発明によれば、波長変換部材としてＢ・ＬＥＤからの放射光とＵＶ・ＬＥＤからの放射光の両者に反応する第１の蛍光粒子と、ＵＶ・ＬＥＤからの放射光のみに反応する第２の蛍光粒子とを用いることによって、色度調整が適切な半導体発光装置を提供することができる。
【図面の簡単な説明】
【００２３】
【図１】本発明の第１実施形態におけるＬＥＤ発光装置の断面図である。
【図２】本発明の第１実施形態におけるＬＥＤ発光装置とその駆動回路のブロック線図である。
【図３】図１に示す各ＬＥＤ発光装置のＢ・ＬＥＤのみの発光状態を示す断面図である。
【図４】図１に示す各ＬＥＤ発光装置のＵＶ・ＬＥＤのみの発光状態を示す断面図である。
【図５】図１に示す各ＬＥＤ発光装置のＢ・ＬＥＤとＵＶ・ＬＥＤとの発光状態を示す断面図である。
【図６】図３に示すＬＥＤ発光装置の発光特性の１例を示す特性図である。
【図７】図４に示すＬＥＤ発光装置の発光特性の１例を示す特性図である。
【図８】図５に示すＬＥＤ発光装置の発光特性の１例を示す特性図である。
【図９】本発明の他の実施形態におけるＬＥＤ発光装置の断面図である。
【図１０】従来のＬＥＤ発光装置の断面図である。
【図１１】従来のＬＥＤ発光装置の断面図である。
【発明を実施するための形態】
【００２４】
（第１実施形態）
以下図面により、本発明の実施形態を説明する。図１は本発明の第１実施形態におけるＬＥＤ発光装置の断面図である。図１においてＬＥＤ発光装置１０は
１個の基板１の上にＢ・ＬＥＤ３とＵＶ・ＬＥＤ４を並べて実装し、全体を波長変換部材２で被覆している。
【００２５】
この波長変換部材２は透明樹脂中に以下の蛍光粒子が混入されている。
すなわちＢ・ＬＥＤ３とＵＶ・ＬＥＤ４の両方の発光に反応して、その発光を緑色光Ｐｇと赤色光Ｐｒに波長変換する緑色系蛍光粒子Ｇよび赤色系蛍光粒子Ｒと、ＵＶ・ＬＥＤ４の発光（４００〜４０５ｎｍ）にのみ反応し、その発光を赤色光Ｐｒ２に波長変換する赤色系蛍光粒子Ｒ２とが混入されている。
【００２６】
なお、本発明の実施形態においては、波長変換部材２の透明樹脂中に混入する蛍光粒子としては、第１の赤色系蛍光粒子Ｒは５７０〜６７０ｎｍの発光波長を有する窒化物系、酸化物系、酸窒化系、又は硫化物系蛍光体粒子である。緑色系蛍光粒子Ｇは５００〜６００ｎｍの発光波長を有するケイ酸塩系、酸窒化物系、又は硫化物系蛍光体粒子である。第２の赤色系蛍光粒子Ｒ２は６００〜６７０ｎｍの発光波長を有する酸化物系、フッ化物系蛍光粒子である。
【００２７】
図２はＬＥＤ発光装置１０とその駆動回路のブロック線図であり、駆動回路
１５はＢ・ＬＥＤ駆動回路１６とＵＶ・ＬＥＤ駆動回路１７を有し、Ｂ・ＬＥＤ駆動回路１６はＢ・ＬＥＤ点灯スイッチ１８の操作によってＢ・ＬＥＤ３を点灯駆動するよう構成され、またＵＶ・ＬＥＤ駆動回路１７はＵＶ・ＬＥＤ点灯スイッチ１９の操作によってＵＶ・ＬＥＤ４を点灯駆動するよう構成されている。
【００２８】
図３から図５はＬＥＤ発光装置１０の各点灯状態を示す断面図であり、図３はＢ・ＬＥＤ点灯スイッチ１８の操作によってＢ・ＬＥＤ駆動回路１６がＢ・ＬＥＤ３のみを点灯させた状態を示している。すなわち実線でしめす如く、Ｂ・ＬＥＤ３からの発光は直接青色光Ｐｂとして出射すると共に、緑色系蛍光粒子Ｇよび赤色系蛍光粒子Ｒに反応して波長変換され、緑色光Ｐｇと赤色光Ｐｒとして出射される。
【００２９】
図４はＵＶ・ＬＥＤ点灯スイッチ１９の操作によってＵＶ・ＬＥＤ駆動回路１７がＵＶ・ＬＥＤ４のみを点灯させた状態を示している。すなわち点線でしめす如く、ＵＶ・ＬＥＤ４からの発光は、緑色系蛍光粒子Ｇよび赤色系蛍光粒子Ｒに反応して波長変換され、緑色光Ｐｇと赤色光Ｐｒとして出射されると共に、第２赤色系蛍光粒子Ｒ２に反応して波長変換され、第２赤色光Ｐｒ２として出射される。
【００３０】
図５はＢ・ＬＥＤ点灯スイッチ１８と、ＵＶ・ＬＥＤ点灯スイッチ１９の両者が同時に操作されることにより、Ｂ・ＬＥＤ駆動回路１６とＵＶ・ＬＥＤ駆動回路１７が動作して、Ｂ・ＬＥＤ３とＵＶ・ＬＥＤ４とを同時に点灯させた状態を示している。この状態においては図３に示す発光状態と図４に示す発光状態とが加算された表示状態となっている。
【００３１】
すなわち、実線で示すＢ・ＬＥＤ３の発光として青色光Ｐｂ、緑色光Ｐｇ、赤色光Ｐｒと、点線で示す発光として緑色光Ｐｇ、赤色光Ｐｒに加え第２赤色光Ｐｒ２が出射される。すなわち緑色光Ｐｇと赤色光Ｐｒとは、Ｂ・ＬＥＤ３とＵＶ・ＬＥＤ４との両者によって励起されるので、効率よく強い出射光が得られる。
また、Ｂ・ＬＥＤ３によって得られる色温度の高い白色光に対してＵＶ・ＬＥＤ４によって励起された第２赤色光Ｐｒ２の色補正が行われることによって、明るい暖色光の発光ができる。
【００３２】
次に各点灯条件に対する発光波長特性に付いて説明する。
図６から図８は、駆動回路１５の動作条件に対するＬＥＤ発光装置１０の発光特性を示す発光特性図であり、図６は駆動回路１５のＢ・ＬＥＤ点灯スイッチ１８のみが動作した状態、すなわち図３に示すＢ・ＬＥＤ３のみが点灯した状態の発光波長特を示し、図３に示す如く青色光Ｐｂ、緑色光Ｐｇ、赤色光Ｐｒにより図６の特性カーブは青色波長（４５０ｎｍ）付近にピークを有する全体として白色光Ｐｗの特性カーブＯＢとなる。
【００３３】
図７は駆動回路１５のＵＶ・ＬＥＤ点灯スイッチ１９のみが動作した状態、すなわち図４に示すＵＶ・ＬＥＤ４のみが点灯した状態の発光波長特を示し、図４に示す如く緑色光Ｐｇ、赤色光Ｐｒ、第２赤色光Ｐｒ２により、図７の特性カーブは赤色波長（６５０ｎｍ）付近にピークを有する、補正光の特性カーブＯＵＶとなる。
【００３４】
図８は駆動回路１５のＢ・ＬＥＤ点灯スイッチ１８及びＵＶ・ＬＥＤ点灯スイッチ１９の両者が動作した状態の発光波長特を示し、点線で示すＵＶ・ＬＥＤ４の点灯による特性カーブＯＵＶと、一点線で示すＢ・ＬＥＤの点灯による特性カーブＯＢを加算した特性カーブＢＵＶとなる。すなわち、図５に示す如く実線及び点線で示す青色光Ｐｂ、緑色光Ｐｇ、赤色光Ｐｒ、第２赤色光Ｐｒ２により、図７の特性カーブＢＵＶは赤色波長（６５０ｎｍ）付近にピークを有すると共に、各波長領域に発光成分を有する、補正された暖色光の特性カーブとなる。なお赤色系蛍光体Ｒ及び緑色系蛍光体ＧはＢ・ＬＥＤ３の発光では飽和しない。同様にＵＶ・ＬＥＤ４の発光でも飽和しない。このため赤色系蛍光体Ｒ及び緑色系蛍光体Ｇの発光強度は、概ねはＢ・ＬＥＤ３とＵＶ・ＬＥＤ４の発光の発光強度の和に比例する。
【００３５】
上記の如く、本発明の第１実施形態におけるＬＥＤ発光装置１０は、駆動回路１５のＢ・ＬＥＤ点灯スイッチ１８のみの操作時には図６のＯＢ特性図の如く昼光色発光を行い、また駆動回路１５のＢ・ＬＥＤ点灯スイッチ１８及びＵＶ・ＬＥＤ点灯スイッチ１９の両者の操作時には図８に示す如く、赤橙色系の明るい暖色系発光を行うことで、２種類の照明装置を実現できる。なお、本実施形態ではＢ・ＬＥＤ3及びＵＶ・ＬＥＤ４に対しＯＮ−ＯＦＦ制御を行っていたが、ＬＥＤ駆動回路１５が電流量を制御できると中間的な調色ができるようになる。
【００３６】
（第２実施形態）
次に、図９（ａ）により本発明の第２実施形態におけるＬＥＤ発光装置について説明する。図９（ａ）は第２実施形態におけるＬＥＤ発光装置２０の断面図であり、第１実施形態におけるＬＥＤ発光装置１０と基本的構成は同じであり、同一要素には同一番号を付し、重複する説明を省略する。
【００３７】
図９（ａ）に示すＬＥＤ発光装置２０の断面図は、図５に示す第１実施形態におけるＬＥＤ発光装置１０断面図に対応している。すなわち図９（ａ）に示すＬＥＤ発光装置２０が図５に示すＬＥＤ発光装置１０と異なるところは、波長変換部材２の透明樹脂中にＵＶ・ＬＥＤ４の発光にのみ反応する第２緑色系蛍光粒子Ｇ２が混入していることである。これによって駆動回路１５のＢ・ＬＥＤ点灯スイッチ１８及びＵＶ・ＬＥＤ点灯スイッチ１９の両者の操作時には、図９（ａ）に示すように第２赤色系蛍光粒子Ｒ２の赤色光Ｐｒ２に加えて第２緑色系蛍光粒子Ｇ２の緑色光Ｐｇ２による補正が行われることにより、さらに広範囲な色度補正がおこなわれ、やわらかで明るい暖色系発光を行うことができる。
【００３８】
（第３実施形態）
次に、図９（ｂ）により本発明の第３実施形態におけるＬＥＤ発光装置について説明する。図９（ｂ）は第３実施形態におけるＬＥＤ発光装置３０の断面図であり、第１、２実施形態におけるＬＥＤ発光装置１０、２０と基本的構成は同じであり、同一要素には同一番号を付し、重複する説明を省略する。
【００３９】
図９（ｂ）に示すＬＥＤ発光装置３０の断面図は、図９（ａ）に示す第２実施形態におけるＬＥＤ発光装置２０の断面図に対応している。すなわち図９（ｂ）に示すＬＥＤ発光装置３０が図９（ａ）に示すＬＥＤ発光装置２０と異なるところは、波長変換部材２の透明樹脂中にＵＶ・ＬＥＤ４の発光にのみ反応する第２青色系蛍光粒子Ｂ２が混入していることである。これによって駆動回路１５のＢ・ＬＥＤ点灯スイッチ１８及びＵＶ・ＬＥＤ点灯スイッチ１９の両者の操作時には、図９（ｂ）に示すように第２赤色系蛍光粒子Ｒ２の赤色光Ｐｒ２、第２緑色系蛍光粒子Ｇ２の緑色光Ｐｇ２に加えて第２青色系蛍光粒子Ｂ２の青色光Ｐｂ２による補正が行われることにより、さらに広範囲な色度補正が可能となる。
【００４０】
以上の如く、本発明のように波長変換部材の中にＢ・ＬＥＤとＵＶ・ＬＥＤの両者によって励起される基本発光用の蛍光粒子と、ＵＶ・ＬＥＤのみによって励起される補正用の蛍光粒子を混入させることによって広範囲な色度補正が可能となる。所望の発色を得るためのＢ・ＬＥＤ３と赤色系蛍光体Ｒ及び緑色系蛍光体Ｇの組み合わせにおいて、まだ赤色系蛍光体Ｒ及び緑色系蛍光体Ｇは飽和していないことが多い。このため暖色化においてＵＶ・ＬＥＤ４は赤色系蛍光体Ｒ及び緑色系蛍光体Ｇも励起するため、追加する第２赤色系蛍光体Ｒ２は微量で済む。またこの励起にともない赤色系蛍光体Ｒ及び緑色系蛍光体Ｇの利用効が高まり容易に発光輝度を高めた照明が得られるようになる。
【符号の説明】
【００４１】
１、１０１，２０１      基板
２、１０２、２０２      波長変換部材
３、１０３、２０３      Ｂ・ＬＥＤ
４  、１０４、２０４    ＵＶ・ＬＥＤ
１０、２０，３０、１００，２００    ＬＥＤ発光装置
１５                    駆動回路
１６                    Ｂ・ＬＥＤ駆動回路
１７                    ＵＶ・ＬＥＤ駆動回路
１８                    Ｂ・ＬＥＤ点灯スイッチ
１９                    ＵＶ・ＬＥＤ点灯スイッチ
Ｒ、Ｒ２                赤色蛍光粒子
Ｇ、Ｇ２                緑色蛍光粒子
Ｐｒ、Ｐｒ２            赤色光
Ｐｇ，Ｐｇ２            緑色光
Ｐｂ                    青色光
Ｐｗ                    白色光          
【図１】
2012009684.tif 000003
【図２】
2012009684.tif 000004
【図３】
2012009684.tif 000005
【図４】
2012009684.tif 000006
【図５】
2012009684.tif 000007
【図６】
2012009684.tif 000008
【図７】
2012009684.tif 000009
【図８】
2012009684.tif 000010
【図９】
2012009684.tif 000011
【図１０】
2012009684.tif 000012
【図１１】
2012009684.tif 000013